(57)【特許請求の範囲】
【請求項１】
収納部を有する容器本体と、該容器本体に枢着されてこれを開閉する蓋体と、上記容器本体の収納部に固定され、化粧料を収容する中枠と、該中枠の上端周縁部に形成されたフランジ部と、該中枠に一体的に形成され、該フランジ部の下面に接合した端部でたわみ変形可能に弾性支持されて、上記容器本体から露出されるプッシュピースとを備えるとともに、該プッシュピースに、上記蓋体に形成されたフック片に係脱可能に係合する突片を一体的に形成し、
上記プッシュピースは、基端部およびその反対側の自由端部を有し、上記容器本体の前端部の周壁に沿って帯状に形成される一対の腕部と、これら腕部の自由端部間に設けられ上記容器本体から露出される押圧操作部とからなり、上記基端部は、上方に延出させることで上記フランジ部の下面に接合されることを特徴とする化粧料容器。
【請求項２】
上記蓋体と上記容器本体との間に、これに当接される上記プッシュピースの操作方向に沿ってこれら蓋体と容器本体との間隔を順次狭めて、該プッシュピースへの操作力を該蓋体の押し上げ力に変換する傾斜面を形成したことを特徴とする請求項１に記載の化粧料容器。
【発明の詳細な説明】
【０００１】
【発明の属する技術分野】
本発明は、プッシュピースを中枠と一体として形成し、このプッシュピースに蓋体を閉止状態に保つフック手段の一方の突片を一体的に形成することにより、部品点数および組み付け工数の削減を可能とし、かつ、プッシュピースを一体成形した場合にも、簡単な構造をもってプッシュピースの良好な操作性を確保するようにした化粧料容器に関する。
【０００２】
【従来の技術】
この種の化粧料容器としては、例えば実公昭５８−３６３３１号公報(Int.Cl.A45D 33/22) に開示されたものが従来知られている。これは、容器本体、中枠および蓋体の後端部が共通の蝶番で枢着され、かつ、容器本体の底部と中枠との間の空間にパフが収納されるようになっている。そして、化粧料容器の使用時には、蓋体を開け、さらに中枠を開けてパフを取り出し、その後中枠を閉じて、この中枠に収容した化粧料をパフに付着させて使用するようになっている。
【０００３】
上記の蓋体および中枠の前端部が開閉側となるが、これら蓋体と中枠の前端部間および中枠と容器本体の前端部間にはそれぞれ係脱可能な突片が形成され、これら突片がフック機構として構成されている。そして、フック機構を係合しておくことにより、蓋体の閉止状態が保持される。殊にこのフック機構に対してはプッシュピースが備えられ、このプッシュピースを操作することによりフック機構の係合を解除することができるようになっている。
【０００４】
プッシュピースは、容器本体、中枠および蓋体とは別体に形成されて、中枠前端部の凹孔に摺動自在に嵌挿されるとともに、プッシュピースの前端は容器本体の前端部から露出される。そして、プッシュピースの前端を容器本体内方へ押し込むことにより、プッシュピースの上下面に形成したくさび状の斜面で容器本体と蓋体との間を押し開いて、フック機構の係合を解除するようになっている。
【０００５】
【発明が解決しようとする課題】
しかしながら、従来の化粧料容器にあっては、上述したようにプッシュピースが容器本体や中枠、蓋体とは別体に形成されるため、化粧料容器の構成部品点数が増加し、またプッシュピースの組付け作業も繁雑で、生産性が良くないとともに化粧料容器のコストアップを余儀なくされるという課題があった。
【０００６】
そこで本発明は、プッシュピースを中枠と一体として形成し、このプッシュピースに蓋体を閉止状態に保つフック手段の一方の突片を一体的に形成することにより、部品点数および組み付け工数の削減を可能とし、かつ、プッシュピースを一体成形した場合にも、簡単な構造をもってプッシュピースの良好な操作性を確保するようにした化粧料容器を提供することを目的とする。
【０００７】
【課題を解決するための手段】
請求項１に係る化粧料容器は、収納部を有する容器本体と、該容器本体に枢着されてこれを開閉する蓋体と、上記容器本体の収納部に固定され、化粧料を収容する中枠と、該中枠の上端周縁部に形成されたフランジ部と、該中枠に一体的に形成され、該フランジ部の下面に接合した端部でたわみ変形可能に弾性支持されて、上記容器本体から露出されるプッシュピースとを備えるとともに、該プッシュピースに、上記蓋体に形成されたフック片に係脱可能に係合する突片を一体的に形成し、上記プッシュピースは、基端部およびその反対側の自由端部を有し、上記容器本体の前端部の周壁に沿って帯状に形成される一対の腕部と、これら腕部の自由端部間に設けられ上記容器本体から露出される押圧操作部とからなり、上記基端部は、上方に延出させることで上記フランジ部の下面に接合されることを特徴とする。
【０００９】
さらに、請求項２に係る化粧料容器では、上記蓋体と上記容器本体との間に、これに当接される上記プッシュピースの操作方向に沿ってこれら蓋体と容器本体との間隔を順次狭めて、該プッシュピースへの操作力を該蓋体の押し上げ力に変換する傾斜面を形成したことを特徴とする。
【００１０】
本発明の化粧料容器の作用について説明すると、請求項１では、化粧料の使用時には、容器本体から露出されている、中枠にたわみ変形可能に弾性支持されたプッシュピースを操作する。この弾性支持されたプッシュピースを操作すると、蓋体のフック片に係合している突片がこれより外れる。その後は、蓋体を開くことにより、中枠内に収容されている化粧料を使用することができる。
【００１１】
ところで、プッシュピースは中枠にたわみ変形可能に弾性支持されているため、プッシュピースを操作すると、当該プッシュピースは中枠に接合された端部を支点としてたわみ変形する。このため、フック片との係合を解除するためのプッシュピースの操作力は、その弾性の設定のみでよく、かつこの弾性は自由度高く調整することができ、操作性を向上することができる。また、プッシュピースは中枠と一体化されていて中枠の成形と同時に中枠に備えることができる。このため、化粧料容器の構成部品点数を削減できるとともに、プッシュピースの組み付け作業を省略でき、これにより化粧料容器の組立作業の自動化が可能となり、その生産性の向上を図ってコストダウンを達成することができる。
【００１２】
また、押圧操作部への操作力は一対の腕部の自由端部に入力されることとなり、これら一対の腕部により適切かつ十分なたわみ変形量を確保することができる。このため、押圧操作部を含むプッシュピース、ひいては中枠全体の剛性を高く設定した場合でも、腕部のたわみ変形量、従って押圧操作部の操作量を十分に稼ぐことができるため、操作感を適切に調整することができる。また、押圧操作部が一対の腕部によって支持されるため、押圧操作部が操作中に傾いてしまうことを防止でき、押圧操作部の操作感を向上することができる。
【００１３】
さらに、請求項２では、プッシュピースを操作することにより、傾斜面に当接するプッシュピースが容器本体と蓋体との間に進入して容器本体に対して蓋体を押し上げることができる。これにより、フック片と突片との係合解除後の蓋体の開放動作を容易化することができる。
【００１４】
以下に、本発明の好適な実施形態を添付図面を参照して詳細に説明する。本実施形態は基本的には、収納部１２ｃを有する容器本体１２と、該容器本体１２に枢着されてこれを開閉する蓋体１６と、上記容器本体１２の収納部１２ｃに固定され、化粧料Ｐを収容する中枠１４と、該中枠１４の上端周縁部に形成されたフランジ部１４ｄと、該中枠１４に一体的に形成され、該フランジ部１４ｄの下面に接合した端部でたわみ変形可能に弾性支持されて、上記容器本体１２から露出されるプッシュピース３０とを備えるとともに、該プッシュピース３０に、上記蓋体１６に形成されたフック片１６ｃに係脱可能に係合する突片３０ｅを一体的に形成し、上記プッシュピース３０は、基端部３０ｆおよびその反対側の自由端部３０ｇを有し、上記容器本体１２前端部の周壁１２ｂに沿って帯状に形成される一対の腕部３０ｂ、３０ｄと、これら腕部３０ｂ、３０ｄの自由端部３０ｇ，３０ｇ間に設けられ上記容器本体１２から露出される押圧操作部３０ｃとからなり、上記基端部３０ｆ、３０ｆは、上方に延出させることで上記フランジ部１４ｄの下面に接合される構成となる。
【００１５】
図１から図７に示すように、化粧料容器１０は、容器本体１２、中枠１４および蓋体１６を主な構成部品とし、容器本体１２は、底面１２ａと周壁１２ｂとで囲まれた内方を中枠１４の収納部１２ｃとする皿状に形成される。特に容器本体１２前端部の周壁１２ｂには、プッシュピース３０を外方に露出させるための切り欠き部１２ｄが形成されている。
【００１６】
中枠１４も、底面１４ａと周壁１４ｂとで囲まれた内方を収容部１４ｃとする皿状に形成されて上記収納部１２ｃに固定される。中枠１４の収容部１４ｃには金皿等に充填された化粧料Ｐが収容される。この中枠１４の上端周縁部には外方へ延出させてフランジ部１４ｄが形成され、このフランジ部１４ｄは容器本体１２の周壁１２ｂの上端に当接される。またこの中枠１４前端部のフランジ部１４ｄには、蓋体１６のフック片１６ｃをフランジ部１４ｄ下へと案内するための溝部１４ｅが形成されている。
【００１７】
蓋体１６は容器本体１２の外形形状に沿って形成されて、閉じたときに容器本体１２の上面全体を覆うようになっている。蓋体１６の裏面には、化粧鏡２０が取り付けられている。
【００１８】
これら蓋体１６と容器本体１２とは、それらの後端部が蝶番２４を介して枢着されている。蝶番２４は、容器本体１２後端部の周壁中央部に形成した凹設部２４ａに、蓋体１６後端部から突設した突設部２４ｂを嵌装し、これら凹設部２４ａの両側から突設部２４ｂにわたってピン２４ｃを挿入することで構成されている。これにより、蓋体１６は容器本体１２に対して回動可能に取り付けられて、容器本体１２を開閉するようになっている。そして殊にこの蓋体１６には、その前端部から下方に垂下させて係合突起１６ｂが形成され、この係合突起１６ｂには容器本体１２後方へ向かってフック片１６ｃが形成されている。
【００１９】
ところで、上記中枠１４には、これに一体的にプッシュピース３０が形成されている。このプッシュピース３０は、中枠１４前端部のフランジ部１４ｄ下に一体的に形成されている。このプッシュピース３０は、フック片１６ｃを挿入するために上下方向に貫通された中空筒体状の押圧操作部３０ｃと、この押圧操作部３０ｃの両側に左右一対形成された腕部３０ｂ、３０ｄとからなり、この腕部３０ｂ、３０ｄの左右両端がフランジ部１４ｄの下面に接合されている。詳述すると、一対の腕部３０ｂ、３０ｄはそれぞれ、容器本体１２前端部の周壁１２ｂに沿って帯状に形成されていて、その外側部分はフランジ部１４ｄ直下に接合されて、腕部３０ｂ、３０ｄ全体をたわみ変形可能に弾性支持する基端部３０ｆ，３０ｆをなすとともに、この基端部３０ｆ，３０ｆとは反対側の中央側部分が基端部３０ｆ，３０ｆを支持点として自由にたわみ変位する自由端部３０ｇ，３０ｇをなして、これら自由端部３０ｇ，３０ｇ間に押圧操作部３０ｃが接合されている。そしてまた押圧操作部３０ｃは、上記切り欠き部１２ｄに位置されて、これより外部に露出されるようになっている。このように構成されたプッシュピース３０の押圧操作部３０ｃには、蓋体１６のフック片１６ｃと係脱自在に係合する突片３０ｅが一体的に形成されている。この突片３０ｅは、容器本体１２後方に向かうフック片１６ｃと係合可能に、中空筒体状の押圧操作部３０ｃの後方側内壁に容器本体１２前方へ向かって突設されている。
【００２０】
そして、これらフック片１６ｃと突片３０ｅとが係合されることによって、蓋体１６の閉止状態が保持されるようになっている。他方、プッシュピース３０は、これが操作されることにより、突片３０ｅをフック片１６ｃから係合解除して、蓋体１６を開放できるようになっている。プッシュピース３０は、中枠１４に弾性支持された上記腕部３０ｂ、３０ｄのたわみ変形作用によって、容器本体１２の前後方向に移動可能で、押圧操作されることで後方に移動し突片３０ｅをフック片１６ｃから外すとともに、腕部３０ｂ、３０ｄの弾性復帰作用で前方に移動し突片３０ｅがフック片１６ｃに係合するようになっている。また、押圧操作部３０ｃは中空筒体状に形成されて腕部３０ｂ，３０ｄよりも剛性高く設定されている。
【００２１】
以上の構成により本実施形態に係る化粧料容器１０は、容器本体１２に中枠１４を収納して蓋体１６を閉止した状態では、突片３０ｅとフック片１６ｃとが係合していて、蓋体１６の閉止状態が保持される。このとき、プッシュピース３０はその押圧操作部３０ｃが容器本体１２の切り欠き部１２ｄから前方に位置している。
【００２２】
そして、化粧料Ｐを使用する際には、プッシュピース３０の押圧操作部３０ｃを押し込んで突片３０ｅとフック片１６ｃとの係合を解除した後、蓋体１６を蝶番２４を介して開放することにより、中枠１４に収容した化粧料Ｐを露出することができる。そして、化粧後に蓋体１６を閉じる際には、押圧操作部３０ｃ内に係合突起１６ｂが挿入されると、腕部３０ｂ、３０ｄを介してフック片１６ｃが突片３０ｅを若干後方に押し込むこととなり、これによりフック片１６ｃが突片３０ｅに対して係合して蓋体１６の閉止状態が確保されることになる。
【００２３】
ここで、本実施形態では、プッシュピース３０は、中枠１４に接合される基端部３０ｆ，３０ｆおよびその反対側の自由端部３０ｇ，３０ｇを有してたわみ変形可能に弾性支持された一対の腕部３０ｂ、３０ｄの間に押圧操作部３０ｃを形成して構成されているので、押圧操作部３０ｃを押し込んだ際の押し込み力は腕部３０ｂ、３０ｄの自由端部３０ｇ，３０ｇに入力され、これら腕部３０ｂ、３０ｄを容易にたわみ変形させることができる。従って、比較的小さな力で腕部３０ｂ，３０ｄをたわみ変形させることができるので、フック片１６ｃと突片３０ｅとの係合を解除する際のプッシュピース３０の操作力、つまり押圧操作部３０ｃの押し込み力を小さくして操作性を向上することができる。そして、押圧操作部３０ｃを含むプッシュピース３０、ひいては中枠１４全体の剛性を高く設定した場合でも、腕部３０ｂ、３０ｄのたわみ変形量、即ち押圧操作部３０ｃの操作量を十分に稼ぐことができるため、操作感を適切に調整することができる。また、押圧操作部３０ｃが一対の腕部３０ｂ，３０ｄによって支持されるため、押圧操作部３０ｃが操作中に傾いてしまうことを防止でき、押圧操作部３０ｃの操作感を向上することができる。
【００２４】
このように本実施形態では、フック片１６ｃとの係合を解除するためのプッシュピース３０の操作力は、その弾性の設定のみでよく、かつこの弾性は自由度高く調整することができ、操作性を向上することができる。また、プッシュピース３０は中枠１４と一体化されていて中枠１４の成形と同時に中枠１４に備えることができる。このため、化粧料容器１０の構成部品点数を削減できるとともに、プッシュピース３０の組み付け作業を省略でき、これにより化粧料容器１０の組立作業の自動化が可能となり、その生産性の向上を図ってコストダウンを達成することができる。
【００２５】
次に、上記実施形態の変形例について、図８および図９を用いて説明する。この実施形態は、蓋体１６と容器本体１２との間に、これに当接されるプッシュピース３０の操作方向に沿ってこれら蓋体１６と容器本体１２との間隔を順次狭めて、プッシュピース３０への操作力を蓋体１６の押し上げ力に変換する傾斜面３４を形成したことにある。具体的には図示するように、押し込み操作される押圧操作部３０ｃに対面する係合突起１６ｂの前面を、上記傾斜面３４としてある。このようにすれば、突片３０ｅとフック片１６ｃとが係合している蓋体１６の閉止状態では、傾斜面３４と押圧操作部３０ｃとは互いに間隔を隔てた状態にある。そして蓋体１６を開く際に押圧操作部３０ｃを押し込み操作すると、まず突片３０ｅが後方へ移動してフック片１６ｃから外れた状態となり、この後さらに押圧操作部３０ｃを押し込むとこれが傾斜面３４に当接することとなって当該押し込み操作力が係合突起１６ｂを押し上げる力に変換され、これにより蓋体１６を若干開放することができるので、その後は僅かに開いた蓋体１６を容易に開くことができる。また、プッシュピース３０を押した後に当該プッシュピース３０から手を離しても、腕部３０ｂ，３０ｄの弾性復帰作用で戻った突片３０ｅがフック片１６ｃと再度係合することはなく、プッシュピース３０を押しながら蓋体１６を開かなければならないという操作上の不具合をなくすことができ、片手で容易に操作することができる。
【００２６】
【発明の効果】
以上説明したように本発明の請求項１に示す化粧料容器にあっては、化粧料の使用時には、容器本体から露出されている、中枠にたわみ変形可能に弾性支持されたプッシュピースを操作する。この弾性支持されたプッシュピースを操作すると、蓋体のフック片に係合している突片がこれより外れる。その後は、蓋体を開くことにより、中枠内に収容されている化粧料を使用することができる。
【００２７】
ところで、プッシュピースは中枠にたわみ変形可能に弾性支持されているため、プッシュピースを操作すると、当該プッシュピースは中枠に接合された端部を支点としてたわみ変形する。このため、フック片との係合を解除するためのプッシュピースの操作力は、その弾性の設定のみでよく、かつこの弾性は自由度高く調整することができ、操作性を向上することができる。また、プッシュピースは中枠と一体化されていて中枠の成形と同時に中枠に備えることができる。このため、化粧料容器の構成部品点数を削減できるとともに、プッシュピースの組み付け作業を省略でき、これにより化粧料容器の組立作業の自動化が可能となり、その生産性の向上を図ってコストダウンを達成することができる。
【００２８】
また、押圧操作部への操作力は一対の腕部の自由端部に入力されることとなり、これら一対の腕部により適切かつ十分なたわみ変形量を確保することができる。このため、押圧操作部を含むプッシュピース、ひいては中枠全体の剛性を高く設定した場合でも、腕部のたわみ変形量、従って押圧操作部の操作量を十分に稼ぐことができるため、操作感を適切に調整することができる。また、押圧操作部が一対の腕部によって支持されるため、押圧操作部が操作中に傾いてしまうことを防止でき、押圧操作部の操作感を向上することができる。
【００２９】
さらに、請求項２では、プッシュピースを操作することにより、傾斜面に当接するプッシュピースが容器本体と蓋体との間に進入して容器本体に対して蓋体を押し上げることができる。これにより、フック片と突片との係合解除後の蓋体の開放動作を容易化することができる。
【図面の簡単な説明】
【図１】本発明の一実施形態を示す化粧料容器の縦断面図である。
【図２】本発明の一実施形態を示す蓋体を開けた状態の縦断面図である。
【図３】本発明の一実施形態の要部を拡大して示す分解斜視図である。
【図４】本発明の一実施形態の蓋体閉止状態におけるプッシュピースの状態を示す要部拡大平面図である。
【図５】本発明の一実施形態のプッシュピースの操作状態を示す要部拡大平面図である。
【図６】本発明の一実施形態のフック片と突片との係合状態を示す要部拡大縦断面図である。
【図７】本発明の一実施形態のフック片と突片との係合解除状態を示す要部拡大縦断面図である。
【図８】本発明の蓋体押し上げ手段を設けた一実施形態のフック片と突片との係合状態を示す要部拡大縦断面図である。
【図９】本発明の蓋体押し上げ手段を設けた一実施形態のフック片と突片との係合解除状態を示す要部拡大縦断面図である。
【符号の説明】
１０  化粧料容器                １２  容器本体
１２ｃ  収納部                  １２ｄ  切り欠き部
１４  中枠                    １４ｃ  収容部
１６  蓋体                    １６ｂ  係合突起
１６ｃ  フック片              ２４  蝶番
３０  プッシュピース          ３０ｂ，ｄ  腕部
３０ｃ  押圧操作部            ３０ｅ  突片
３０ｆ  基端部                ３０ｇ  自由端部
３４  傾斜面                  Ｐ  化粧料
【図１】
0004293654.tif 000002
【図２】
0004293654.tif 000003
【図３】
0004293654.tif 000004
【図４】
0004293654.tif 000005
【図５】
0004293654.tif 000006
【図６】
0004293654.tif 000007
【図７】
0004293654.tif 000008
【図８】
0004293654.tif 000009
【図９】
0004293654.tif 000010